【手続補正書】
【提出日】平成19年10月11日(2007.10.11)
【手続補正１】
【補正対象書類名】特許請求の範囲
【補正対象項目名】全文
【補正方法】変更
【補正の内容】
【特許請求の範囲】
【請求項１】
複数のトランスポートストリームを受信する放送受信装置であって、
複数の前記トランスポートストリームからそれぞれ視聴に関する視聴関連データを決定して、前記視聴関連データ以外の他のデータを削除することで、又は前記他のデータから分離することで、前記視聴関連データを抽出する前処理手段と、
前記前処理手段により抽出された各視聴関連データを多重化する多重手段と、
前記多重手段により多重化された多重化データを、前記放送受信装置の外部にある外部装置へ出力する出力インタフェース手段と、
前記外部装置によって処理された前記多重化データを、前記外部装置から取得する入力インタフェース手段と、
前記入力インタフェース手段によって取得された前記多重化データを分離する多重分離手段と
を備えることを特徴とする放送受信装置。
【請求項２】
前記前処理手段は、前記放送受信装置が保有する保有情報に応じて、視聴関連データの抽出に関する条件を示す独自情報を作成し、前記独自情報に示される条件にしたがって前記視聴関連データを決定する
ことを特徴とする請求項１記載の放送受信装置。
【請求項３】
前記前処理手段は、現在のユーザの視聴状況を前記保有情報として、前記視聴状況に応じて前記独自情報を作成する
ことを特徴とする請求項２記載の放送受信装置。
【請求項４】
前記前処理手段は、
視聴関連データの抽出に関する条件を示す前処理情報を受信し、前記独自情報及び前記前処理情報を基に、抽出対象の視聴関連データを示すフィルタリング条件を設定する受信部と、
前記受信部で設定されたフィルタリング条件により示される視聴関連データを、前記各トランスポートストリームの中から決定して抽出するフィルタリング部と
を有することを特徴とする請求項２記載の放送受信装置。
【請求項５】
前記前処理手段は、さらに、トランスポートストリーム中の構造を示す構造情報の一部あるいは全部を記憶する記憶部を備え、
前記受信部は、前記記憶部に記憶されている構造情報の一部あるいは全部を用いて前記フィルタリング条件を設定する
ことを特徴とする請求項４記載の放送受信装置。
【請求項６】
前記記憶部が記憶している前記構造情報の一部あるいは全部に変更が生じた場合は、前記受信部は、前記変更に応じてフィルタリング条件を更新する
ことを特徴とする請求項５記載の放送受信装置。
【請求項７】
前記受信部は、前記前処理情報の受信時に、前記記憶部に記憶されている構造情報の一部あるいは全部を利用して、前記外部装置の処理に必要な外部処理条件を特定し、前記外部処理条件を視聴関連データの抽出に関する条件として前記独自情報へ追加する
ことを特徴とする請求項５記載の放送受信装置。
【請求項８】
前記前処理情報が視聴関連データの抽出に関する条件として、前記トランスポートストリームに含まれる放送サービスを示しているときには、
前記受信部は、前記記憶部に記憶されている構造情報の一部あるいは全部を利用して、前記前処理情報によって示されていない放送サービスを構成するストリームの全部あるいは一部を特定し、前記ストリームの全部あるいは一部を削除することを、視聴関連データの抽出に関する条件として前記独自情報へ追加する
ことを特徴とする請求項５記載の放送受信装置。
【請求項９】
前記前処理手段は、さらに、前記放送受信装置の起動時に抽出対象となる視聴関連データを示すデフォルトフィルタリング条件を記憶しているデフォルト設定記憶部を有し、
前記フィルタリング部は、前記放送受信装置の起動時には、前記デフォルトフィルタリング条件により示される視聴関連データを、前記各トランスポートストリームの中から決定して抽出する
ことを特徴とする請求項４記載の放送受信装置。
【請求項１０】
前記前処理手段は、さらに、前記トランスポートストリームに含まれるストリーム中の情報を書き換える変換部を有する
ことを特徴とする請求項４記載の放送受信装置。
【請求項１１】
前記前処理手段は、さらに、前記トランスポートストリームから番組配列情報を作成する番組配列情報作成部を有する
ことを特徴とする請求項４記載の放送受信装置。
【請求項１２】
前記フィルタリング部は、前記トランスポートストリーム中の不連続点を検出して、前記不連続点にパケットを挿入する
ことを特徴とする請求項４記載の放送受信装置。
【請求項１３】
前記受信部は、前記外部装置から指定される前記前処理情報を受信する
ことを特徴とする請求項４記載の放送受信装置。
【請求項１４】
前記受信部は、さらに、前記外部装置から受信した前記前処理情報により示される条件に対する返信を前記外部装置に行う
ことを特徴とする請求項１３記載の放送受信装置。
【請求項１５】
前記受信部は、前記独自情報について前記外部装置へ尋ね、前記外部装置から受信した返信に応じて前記独自情報を更新する
ことを特徴とする請求項４記載の放送受信装置。
【請求項１６】
前記多重手段は、前記前処理手段で抽出された各視聴関連データの抽出元となる前記各トランスポートストリームの識別を行うために、前記各視聴関連データに含まれるパケットの書き換えを行う書き換え部と、
前記書き換え部によって書き換えられた複数の視聴関連データを多重化する多重実行部とを有する
ことを特徴とする請求項１記載の放送受信装置。
【請求項１７】
前記書き換え部は、前記各視聴関連データの未使用領域の一部あるいは全部を書き換える
ことを特徴とする請求項１６記載の放送受信装置。
【請求項１８】
前記多重手段は、前記前処理手段で抽出された各視聴関連データの抽出元となる前記各トランスポートストリームの識別を行うために、前記各視聴関連データにヘッダを付与するヘッダ付与部と、
前記ヘッダ付与部によってヘッダが付与された複数の視聴関連データを多重化する多重実行部を有する
ことを特徴とする請求項１記載の放送受信装置。
【請求項１９】
視聴し得るユーザが限定されるようにスクランブルをかけて放送されるトランスポートストリームのスクランブルを解除する限定受信解除装置であって、
複数の前記トランスポートストリームのそれぞれから視聴に関する視聴関連データが抽出されて多重化された多重化データを取得する入力インタフェース手段と、
前記入力インタフェース手段によって取得された前記多重化データに含まれる前記各視聴関連データを識別する識別手段と、
前記識別手段によって識別された各視聴関連データに対し、スクランブルの解除を行う限定受信解除手段と、
前記限定受信解除手段によってスクランブルが解除された各視聴関連データを含む多重化データを出力する出力インタフェース手段と
を備えることを特徴とする限定受信解除装置。
【請求項２０】
前記限定受信解除装置は、さらに、前記多重化データの取得の方式について、前記入力インタフェース手段の取得先と交渉する交渉手段を備え、
前記入力インタフェース手段は、前記交渉手段の交渉結果に応じた方式で前記多重化データを取得する
ことを特徴とする請求項１９記載の限定受信解除装置。
【請求項２１】
前記限定受信解除装置は、さらに、前記視聴関連データの取り扱い能力、抽出の対象とすべき前記視聴関連データ、抽出の対象から外される前記視聴関連データ、及び取り扱え得る多重化方式についての情報のうち少なくとも１つを放送受信装置へ通知をする通知部を有する
ことを特徴とする請求項１９記載の限定受信解除装置。
【請求項２２】
前記限定受信解除装置は、さらに、前記出力インタフェースの出力先からの要求に応える要求応答部を有する
ことを特徴とする請求項１９記載の限定受信解除装置。
【請求項２３】
放送受信装置が複数のトランスポートストリームを受信する放送受信方法であって、
前記複数のトランスポートストリームからそれぞれ視聴に関する視聴関連データを決定して抽出する前処理ステップと、
前記抽出された各視聴関連データを多重化して多重化データを生成する多重ステップと、
前記生成された多重化データを、前記放送受信装置の外部にある外部装置へ出力する出力ステップと、
前記外部装置によって処理された前記多重化データを、前記外部装置から取得する入力ステップと、
前記取得された前記多重化データを分離する多重分離ステップと
を含むことを特徴とする放送受信方法。
【請求項２４】
視聴し得るユーザが限定されるようにスクランブルをかけて放送されるトランスポートストリームのスクランブルを解除する限定受信解除方法であって、
複数の前記トランスポートストリームのそれぞれから視聴に関する視聴関連データが抽出されて多重化された多重化データを取得する入力ステップと、
前記取得された前記多重化データに含まれる前記各視聴関連データを識別する識別ステップと、
前記識別された各視聴関連データに対し、スクランブルの解除を行う限定受信解除ステップと、
前記スクランブルが解除された各視聴関連データを含む多重化データを出力する出力ステップと
を含むことを特徴とする限定受信解除方法。
【請求項２５】
複数のトランスポートストリームを受信する放送受信装置に実行させるプログラムであって、
前記複数のトランスポートストリームからそれぞれ視聴に関する視聴関連データを決定して抽出する前処理ステップと、
前記抽出された各視聴関連データを多重化して多重化データを生成する多重ステップと、
前記生成された多重化データを、前記放送受信装置の外部にある外部装置へ出力する出力ステップと、
前記外部装置によって処理された前記多重化データを、前記外部装置から取得する入力ステップと、
前記取得された前記多重化データを分離する多重分離ステップと
を含むことを特徴とするプログラム。
【請求項２６】
視聴し得るユーザが限定されるようにスクランブルをかけて放送されるトランスポートストリームのスクランブルを解除する限定受信解除装置に実行させるプログラムであって、
複数の前記トランスポートストリームのそれぞれから視聴に関する視聴関連データが抽出されて多重化された多重化データを取得する入力ステップと、
前記取得された前記多重化データに含まれる前記各視聴関連データを識別する識別ステップと、
前記識別された各視聴関連データに対し、スクランブルの解除を行う限定受信解除ステップと、
前記スクランブルが解除された各視聴関連データを含む多重化データを出力する出力ステップと
を含むことを特徴とするプログラム。